(57)【要約】【課題】構造が簡単で取扱い操作も容易であり、スクリーンを閉じたロック状態が安定して保持され、経時的にもロック機能の信頼性が得られる開閉式スクリーン枠体におけるスライドバーの閉止装置を提供する。【解決手段】受け枠にスライドバーの受入れ口をチャンネル形で広く開口するとともに、その外側壁の先端にその端に沿って屈折し内側に反転する掛止片を形成し、上下枠のうちの少なくとも一方又は受け枠に、スライドバー又は係合片が突き当たることにより被掛止片を受入れ口の外側壁に接近させ、コイルスプリングのスクリーンの引きにより掛止片に引っかかる位置にまで案内する湾曲面を設けた。【選択図】    図２
2009180062.tif 000002
【特許請求の範囲】
【請求項１】
スクリーンをコイルスプリングの弾力により巻き取る巻取り装置を内装した収納枠とそれに対向する受け枠と上下枠とから枠組みされ、スクリーンの端に取り付けられる取っ手付きスライドバーが上下枠と両端の係合片でスライド可能に係合されてなる開閉式スクリーン枠体において、受け枠にスライドバーの受入れ口をチャンネル形で広く開口するとともに、その外側壁の先端にその端に沿って屈折し内側に反転する掛止片を形成し、上下枠のうちの少なくとも一方又は受け枠に、スライドバー又は係合片が突き当たることにより被掛止片を受入れ口の外側壁に接近させ、コイルスプリングのスクリーンの引きにより掛止片に引っかかる位置にまで案内する湾曲面を設けたことを特徴とする開閉式スクリーン枠体におけるスライドバーの閉止装置。
【請求項２】
上下枠又はその一方の端部に、スライドバーおよび係合片の前記案内の行動を許容する切欠口を設け、切欠口の内部に前記湾曲面を有する案内部片が突設された案内ピースを嵌着したことを特徴とする請求項１記載の開閉式スクリーン枠体におけるスライドバーの閉止装置。
【発明の詳細な説明】
【技術分野】
【０００１】
この発明は、アルミ押出形材で枠組みされる一の枠にスクリーンが開閉自在に巻き取り収納される網戸等の開閉式スクリーン枠体において、スクリーンをその端のスライドバーで受け枠に閉じるための閉止装置に関する。
【背景技術】
【０００２】
建物開口部の網戸による開閉形式には、一般的に網戸自体がスライドする引き戸式のものと、網戸内でスクリーンが開閉のスライドをする開閉式のものとに分けられるが、後者に属する開閉式網戸においては、枠組みされた一端の枠がスクリーンの収納枠としてその中にスクリーンの巻取り装置が内装される。この巻取り装置は、固定的（一般に回転調整可能）な中心軸と、巻取り筒との間にコイルスプリングを介在させたもので、スクリーンの開閉操作については、端のスライドバーを取りながらコイルスプリングの弾力に抗して引き出し（巻き戻し）がなされ、弾力により引き戻し（巻き取り）がなされる。そして、スクリーン先端のスライドバーを端の受け枠に止めることで閉じたときの状態を保持する閉止装置が具備される。
【０００３】
従来、このスライドバーの閉止装置は、スクリーンの収納枠に対向する受け枠と、スライドバーとの双方に相互に吸着する磁石を取り付けたもので、これによると、スクリーンを閉じると同時に自動的に閉止されるが、スクリーンを開くときには磁石の吸引力に対して瞬間的に強い解除力を要し穏やかさに欠ける等の問題があるため、ラチェットによる閉止装置が工夫されている。
【発明の開示】
【発明が解決しようとする課題】
【０００４】
ラチェットによる閉止装置は、スライドバーの上下両端に掛止片を突設し、上下枠の内部には掛止片が掛かる爪を設け、スクリーンを閉じると自動的に掛止片が爪に掛かるためにロック状態に保持できるが、スライドバーに備えてある摘みを操作すると、ロック状態が解除されるように構成されているもので、その内部構造が非常に複雑となることはもちろん、摘みを指先でスライドさせるという細かな視覚操作が必要であった。また、スライドバーと、その相手としての受け枠とに相互に引っかかる逆止爪を突設した閉止装置も工夫されているが、この場合は、逆止爪が突起状であり衝撃で破損するおそれがあるため、経時的にロック機能の信頼性に欠けるという問題があった。
【０００５】
この発明は、上記のような実情に鑑みて、構造が簡単で取扱い操作も容易であり、スクリーンを閉じたロック状態が安定して保持され、経時的にもロック機能の信頼性が得られる開閉式スクリーン枠体におけるスライドバーの閉止装置を提供することを課題とした。
【課題を解決するための手段】
【０００６】
この発明は、上記の課題を解決するために、スクリーンをコイルスプリングの弾力により巻き取る巻取り装置を内装した収納枠とそれに対向する受け枠と上下枠とから枠組みされ、スクリーンの端に取り付けられる取っ手付きスライドバーが上下枠と両端の係合片でスライド可能に係合されてなる開閉式スクリーン枠体において、受け枠にスライドバーの受入れ口をチャンネル形で広く開口するとともに、その外側壁の先端にその端に沿って屈折し内側に反転する掛止片を形成し、上下枠のうちの少なくとも一方又は受け枠に、スライドバー又は係合片が突き当たることにより被掛止片を受入れ口の外側壁に接近させ、コイルスプリングのスクリーンの引きにより掛止片に引っかかる位置にまで案内する湾曲面を設けたことを特徴とするスライドバーの閉止装置を提供する。
【０００７】
開閉式スクリーン枠体におけるスライドバーの閉止装置を上記のように構成したから、スライドバーを引いてスクリーンを閉じながらそれを受け枠に合わせると、スライドバー又は係合片が湾曲面に突き当たることにより、スライドバーが室外側に回り込み、コイルスプリングの引きを伴って被掛止片が掛止片に引っ掛かり、コイルスプリングの引きの弾力でその状態が保持され、また、逆の動きをさせてそのロック状態を解除できる。
【発明の効果】
【０００８】
以上説明したように、この発明によれば、スライドバーとその受け枠との部材相互の形状で引っ掛かり、それには湾曲面の案内とコイルスプリングの引きが伴う被掛止片の回り込みによる自動的なロックとなるため、構造が簡単であるとともに取扱い操作も容易であり、また、長尺部材の長手方向に沿って掛止片と被掛止片とが形成されるため、スクリーンを閉じたロック状態が安定して保持され、経時的にもロック機能の信頼性が得られるという優れた効果がある。
【発明を実施するための最良の形態】
【０００９】
図面は、網戸に実施した一形態を示したもので、枠体１に網としてのスクリーン３が開閉可能に備えており、枠体１は、一の縦枠としての収納枠５とそれに対向する受け枠７と、上枠８および下枠９とで枠組みされ、スクリーン３の先端にはスライドバー１１を取り付け、それが上下枠８，９にスライド可能に係合している。スライドバー１１の室内面には幅中央に沿って取っ手１４が突設され、その先端が持ちやすく円形に膨出させて形成される。そして、スライドバー１１を閉じに止める閉止装置が設けられているが、取っ手１４を持ってその操作を容易になしやすくしてある。
【００１０】
収納枠５は開閉蓋６付きであって上下両端には上下枠８，９との連結ブロック１０ａ，１０ｂが嵌着されている。この収納枠５に内装されるスクリーン３の巻取り装置１２については、巻取筒１３が上下連結ブロック１０ａ，１０ｂに端軸１６，１７により軸承されているが、上部には端軸１６を介して上部連結ブロック１０ａに固定される中心軸１５を有し、中心軸１５と巻取筒１３との間にコイルスプリング２３が介在され、その上端が中心軸１５に、下端が巻取筒１３と一体の軸受けピース１９にそれぞれ固着されている。
【００１１】
スライドバーの閉止装置は、スライドバー１１をその受け枠７に合体保持するロック状態を得るもので、スクリーン３をコイルスプリング２３の弾力に抗して引き出すことによりスライドバー１１を受け枠７に合わせ近づけると、湾曲面４７の案内で回り込み行動が発生し、受け枠７の全長に近い範囲で結合するロック状態が得られ、回り込みを逆にしてロック状態を解除すると、コイルスプリング２３の弾力によりスクリーン３が巻取筒１３に巻き取られるようになっている。次に、その構造を説明する。なお、回り込みにはプラスチック製の案内ピース３３を用いたが、受け枠７に一体形成する、受け枠７の受口２４に案内部材を取り付ける等の手段を採ることが可能である。
【００１２】
受け枠７は、スライドバー１１に向かって受入れ口２４を有するチャンネル部分を有し、その外側壁２５よりも内側壁２７が取っ手１４の衝突を避けて短く形成され、長い方の外側壁２５の先端に内側にコ字形に反転する掛止片２９が設けられる。一方、スライドバー１１には、掛止片２９に引っかかるＬ字形の被掛止片３１が突設され、これを含めて受入れ口２４にストレートに入り込む幅であるが、回り込むことにより掛止片２９に被掛止片３１が引っかかるようになっており、回り込み最終にはコイルスプリング２３の引きが作用し、その引きでロック状態が保持される。案内ピース３３は、上枠８と下枠９との双方に設けることが望ましいが、一方にのみ設けても操作上問題はない。
【００１３】
上枠８および下枠９は、上面が幅狭く開口する蟻溝形のチャンネル部材であって、内部には開口３５よりも幅広いガイド溝３７，３７を有するレール部材３８が嵌着され、スライドバー１１の上下両端にはプラスチックピース３６が嵌着され、それにガイド溝３７，３７にスライド可能に係合する逆Ｔ字形に係合片３０，３０が形成されている。また、レール部材３８は、受け枠７の近くでは欠除し、そこには上面が開口する切欠口４１を設け、切欠口４１の下に案内ピース３３が嵌着される。
【００１４】
案内ピース３３は、スライドバー１１の係合片３０の通過を許す低い形状であって、幅中央に溝３８を有するものであるが、その両側壁４３，４３が逆Ｌ字形であって、そのうちの室内側側壁４３の上端に案内部片４５が立設され、案内部片４５には、ほゞ掛止片２９の方向に向かって凹となる湾曲面４７が形成され、この湾曲面４７がスライドバー１１の係合片３０の突き当たりに形成される。
【００１５】
図５は、スクリーン３を張って閉じながら、スライドバー１１の係合片３０が湾曲面４７に案内されながら、掛止片２９にスライドバー１１の被掛止片３１が引っかかるまでを、（イ図）、（ロ図）、（ハ図）の順に示したもので、（イ図）は、湾曲面４７に係合片３０が突き当たった瞬間を示し、この時点では掛止片２９と被掛止片３１がほゞ隣り合わせであるが、さらにスライドバー１１を奥へ押し込むと、（ロ図）に示すように、湾曲面４７に案内されることにより被掛止片３１が掛止片２９の開口側に回り込むので、取っ手１２から手を緩めると、コイルスプリング２３でスクリーン３を引っ張る力により、（ハ図）の如く、掛止片２９に被掛止片３１が引っかかり、スクリーン３の張ったロック状態がコイルスプリング２３の引きで保持される。
【００１６】
ロック状態を解除するには、丁度逆の流れとなるので、取っ手１２を持ちながらスライドバー１１を奥へ押しやりながら手前に引き、湾曲面４７に係合片３０を沿わせことにより掛止片２９から係合片３０を室内側へ離してから取っ手１２から手を放すと、コイルスプリング２３の弾力により巻取筒１３にスクリーン３が巻き取られる。
【００１７】
なお、スライドバー１１は、網のスクリーン３に挟み付けて取り付けるために、２本の形材からなる複合部材として構成されている。また、以上の実施形態は、網戸に実施した場合であるが、その他の場合、例えば、映写幕や天幕等を張るためにも同様に実施でき、図示の場合に対して９０°反転した状態、例えば収納枠５や受け枠７が横枠となる場合もあり、そうであっても、この発明の趣旨に反しないものとする。
【図面の簡単な説明】
【００１８】
【図１】この発明に係る開閉式スクリーン枠体としての網戸の正面図である。
【図２】図１のＡ−Ａ線矢視の拡大断面図である。
【図３】図１のＢ−Ｂ線矢視の下部拡大断面図である。
【図４】図１のＣ−Ｃ線矢視の下部拡大断面図である。
【図５】スクリーンを閉じた時に閉じた状態が保持されるロック状態が得られるまでの順序を主要部材を図示して、（イ図）、（ロ図）、（ハ図）の順番に示す断面説明図である。
【符号の説明】
【００１９】
１  開閉式スクリーン枠体
３  スクリーン
５  収納枠
７  受け枠
８  上枠
９  下枠
１１  スライドバー
１２  巻取り装置
１４  取っ手
２３  コイルスプリング
２４  受入れ口
２９  掛止片
３０  係合片
３１  被掛止片
３３  案内ピース
４１  切欠口
４５  案内部片
４７  湾曲面
【図１】
2009180062.tif 000003
【図２】
2009180062.tif 000004
【図３】
2009180062.tif 000005
【図４】
2009180062.tif 000006
【図５】
2009180062.tif 000007